(57)【特許請求の範囲】
【請求項１】
放送波を受信して放送番組の映像を表示手段に表示させる車載放送受信装置であって、
データ放送を受信して前記放送番組に含まれる施設を表す施設情報を記憶手段に記憶させる記憶制御手段と、
前記記憶手段に記憶された前記施設情報に基づいて前記放送番組に含まれる施設を表す表示体を地図上に重ねた地図画面を前記表示手段に表示させる地図画面表示手段と、
前記表示手段に表示された前記放送番組に含まれる施設を表す表示体が選択操作されたことを判定すると、前記選択操作された表示体により表される前記施設を含む放送番組が放送されているか否かを判定する判定手段と、
前記判定手段により前記施設を含む放送番組が放送されていると判定された場合、前記施設を含む放送番組の映像を前記表示手段に表示させる放送映像表示手段と、を備えたことを特徴とする車載放送受信装置。
【請求項２】
前記地図画面表示手段は、前記地図上に自車位置を表す自車位置マークを表示させることを特徴とする請求項１に記載の車載放送受信装置。
【請求項３】
前記施設情報には、前記放送番組を識別するための番組識別子が含まれており、
前記記憶制御手段は、前記番組識別子に基づいて予め定められた期間内に放送された放送回数を前記放送番組毎に前記記憶手段に記憶させ、
前記地図画面表示手段は、前記記憶手段に記憶された前記放送回数に応じて前記地図画面に表示させる前記表示体の大きさを異ならせることを特徴とする請求項１または２に記載の車載放送受信装置。
【請求項４】
前記施設情報には、前記放送番組に含まれる施設の推奨度を表す優先順位情報が含まれており、
前記地図画面表示手段は、前記優先順位情報に応じて前記地図画面に表示させる前記表示体の大きさを異ならせることを特徴とする請求項３に記載の車載放送受信装置。
【請求項５】
前記施設情報には、前記放送番組に含まれる駐車施設の混雑状況を表す満車空車情報が含まれており、
前記地図画面表示手段は、前記満車空車情報に基づいて各駐車施設の混雑状況を特定し、該混雑状況に応じて前記地図画面に表示させる前記表示体の大きさを異ならせることを特徴とする請求項３または４に記載の車載放送受信装置。
【請求項６】
前記放送波を受信できなくなったことを判定すると、前記記憶手段に記憶された前記施設情報を消去する施設情報消去手段を備えたことを特徴とする請求項１ないし５のいずれか１つに記載の車載放送受信装置。
【請求項７】
前記地図画面表示手段は、前記施設情報消去手段により前記記憶手段に記憶された前記施設情報が消去されると、前記地図画面への前記表示体の表示を非表示にさせることを特徴とする請求項６のいずれか１つに記載の車載放送受信装置。
【発明の詳細な説明】
【技術分野】
【０００１】
本発明は、放送波を受信してその放送映像を表示させる車載放送受信装置に関する。
【背景技術】
【０００２】
従来、デジタルデータ放送を受信して、各種店舗や施設などのＰＯＩ情報やサービスなどの属性データからなる地域別情報を取得し、取得したＰＯＩ情報を入力部から入力されたカテゴリ条件に従ってカテゴリ別に選別し、選別された情報から現在位置を基準にして、価格、到達時間などの推薦条件に従って推薦度を決定し、地図データ上に店舗や施設のアイコンとともに推薦度を表示するものがある（例えば、特許文献１参照）。
【特許文献１】特開２００６−１８４０３０号公報
【発明の開示】
【発明が解決しようとする課題】
【０００３】
しかしながら、特許文献１に記載の装置は、データ放送を受信して地図データ上に店舗や施設のアイコンとともに推薦度を表示するものであり、例えば、ユーザが地図上のアイコンを選択すると、その施設を含む放送番組のみを受信してその映像を表示するといったことはできない。
【０００４】
本発明は上記点に鑑みたもので、ユーザ操作により選択された施設が含まれる放送番組のみを受信してその映像を表示できるようにすることを目的とする。
【課題を解決するための手段】
【０００５】
上記目的を達成するため、請求項１に記載の発明は、放送波を受信して放送番組の映像を表示手段に表示させる車載放送受信装置であって、データ放送を受信して放送番組に含まれる施設を表す施設情報を記憶手段に記憶させる記憶制御手段と、記憶手段に記憶された施設情報に基づいて放送番組に含まれる施設を表す表示体を地図上に重ねた地図画面を表示手段に表示させる地図画面表示手段と、表示手段に表示された放送番組に含まれる施設を表す表示体が選択操作されたことを判定すると、選択操作された表示体により表される施設を含む放送番組が放送されているか否かを判定する判定手段と、判定手段により施設を含む放送番組が放送されていると判定された場合、施設を含む放送番組の映像を表示手段に表示させる放送映像表示手段と、を備えたことを特徴としている。
【０００６】
このような構成では、データ放送を受信して放送番組に含まれる施設を表す施設情報を記憶手段に記憶させ、この記憶手段に記憶された施設情報に基づいて放送番組に含まれる施設を表す表示体を地図上に重ねた地図画面を表示手段に表示させ、この表示体が選択操作されたことを判定すると、選択操作された表示体により表される施設を含む放送番組が放送されているか否かを判定し、施設を含む放送番組が放送されていると判定された場合、施設を含む放送番組の映像が表示手段に表示される。すなわち、ユーザ操作により選択された施設が含まれる放送番組のみを受信してその映像を表示することができる。
【０００７】
また、請求項２に記載の発明は、地図画面表示手段が、地図上に自車位置を表す自車位置マークを表示させることを特徴としている。
【０００８】
このような構成では、地図上に自車位置を表す自車位置マークが表示されるので、ユーザは放送番組に含まれる施設と自車位置との位置関係を容易に認識することができる。
【０００９】
また、請求項３に記載の発明は、施設情報には、放送番組を識別するための番組識別子が含まれており、記憶制御手段は、番組識別子に基づいて予め定められた期間内に放送された放送回数を放送番組毎に記憶手段に記憶させ、地図画面表示手段は、記憶手段に記憶された放送回数に応じて地図画面に表示させる表示体の大きさを異ならせることを特徴としている。
【００１０】
このように、予め定められた期間内に放送された放送回数に応じて地図画面に表示される表示体の大きさを異ならせることができる。したがって、例えば、放送回数の少ない放送番組よりも放送回数の多い放送番組に含まれる施設の表示体を大きくして推奨度を高くするなど、放送回数に応じて表示体の大きさを異ならせて推奨度を施設毎にコントロールすることが可能である。
【００１１】
また、請求項４に記載の発明は、施設情報には、放送番組に含まれる施設の推奨度を表す優先順位情報が含まれており、地図画面表示手段は、優先順位情報に応じて地図画面に表示させる表示体の大きさを異ならせることを特徴としている。
【００１２】
このように、放送番組に含まれる施設の推奨度を表す優先順位情報に応じて地図画面に表示させる表示体の大きさを異ならせることができる。したがって、例えば、番組提供者側で推奨度に応じて各施設の優先順位情報を付与することで、地図画面に表示される表示体の大きさを異ならせることができ、推奨度を施設毎にコントロールすることが可能である。
【００１３】
また、請求項５に記載の発明は、施設情報には、放送番組に含まれる駐車施設の混雑状況を表す満車空車情報が含まれており、地図画面表示手段は、満車空車情報に基づいて各駐車施設の混雑状況を特定し、該混雑状況に応じて地図画面に表示させる表示体の大きさを異ならせることを特徴としている。
【００１４】
このように、放送番組に含まれる駐車施設の混雑状況を表す満車空車情報に基づいて各駐車施設の混雑状況を特定し、該混雑状況に応じて地図画面に表示させる表示体の大きさを異ならせることもできる。
【００１５】
また、請求項６に記載の発明は、放送波を受信できなくなったことを判定すると、記憶手段に記憶された施設情報を消去する施設情報消去手段を備えたことを特徴としている。
【００１６】
このように、放送波を受信できなくなったことを判定すると、記憶手段に記憶された施設情報を消去することができる。
【００１７】
また、請求項７に記載の発明は、地図画面表示手段は、施設情報消去手段により記憶手段に記憶された施設情報が消去されると、地図画面への表示体の表示を非表示にさせることを特徴としている。
【００１８】
このような構成では、記憶手段に記憶された施設情報が消去されると、地図画面への表示体の表示が非表示となる。したがって、放送波を受信できなくなり記憶手段に記憶された施設情報が消去された場合に、地図画面に表示体を表示させないようにすることができる。
【発明を実施するための最良の形態】
【００１９】
本発明の一実施形態に係る車載放送受信装置の構成を図１に示す。本車載放送受信装置１は、放送受信機能部１０、ナビゲーション機能部２０およびモニタ３０を備え、放送受信機能とナビゲーション機能を一体化した構成となっている。
【００２０】
放送受信機能部１０は、デジタルテレビチューナ（図中では、ＤＴＶチューナと記す）１１、データ処理部１２、番組情報データベース（図中では、データベースをＤＢと記す）１３を備えている。
【００２１】
デジタルテレビチューナ１１には、放送波を受信する受信アンテナ１１ａが接続されている。デジタルテレビチューナ１１は、この受信アンテナ１１ａより入力される受信信号に対し、増幅、周波数変換、選局、復調等の処理を行う。
【００２２】
本デジタルテレビチューナ１１は、携帯端末向け地上デジタル放送「ワンセグ」を含む地上デジタル放送の受信が可能となっている。
【００２３】
この地上デジタル放送では、テレビ番組と同時にデータ放送によりコンテンツ配信が行われ、ワンセグ放送においても、ワンセグデータ放送によりコンテンツ配信が行われる。
【００２４】
本実施形態においては、地上デジタル放送の送信を行う送信アンテナとは別に設置された送信アンテナから、放送番組および放送エリアを特定の商店街などの特定地域に限定した区域限定放送がワンセグ放送として送信されるようになっている。この区域限定放送では、その地域の各種施設に関する放送番組が不定期に繰り返し放送される。また、放送番組に加え、ワンセグデータ放送により放送番組に含まれる施設の施設情報も同時に配信されるようになっている。
【００２５】
データ処理部１２は、ＣＰＵ、メモリ、Ｉ／Ｏ等を備えたコンピュータとして構成されている。データ処理部１２のＣＰＵは、メモリに記憶されたプログラムに従って各種処理を実施する。
【００２６】
データ処理部１２は、デジタルテレビチューナ１１により区域限定放送が受信されると、番組放送に含まれる施設を表す施設情報を番組情報データベース１３に蓄積させる番組情報記憶処理、ナビゲーション機能部２０からの指示に従って特定の放送番組が放送されていることを判定すると、その放送番組の映像をモニタ３０に表示させる処理等がある。なお、これらの処理については、後で説明する。
【００２７】
ナビゲーション機能部２０は、ＧＰＳ処理部２１、地図情報データベース２２およびナビ処理部２３を備えている。
【００２８】
ＧＰＳ処理部２１には、測位衛星から送信される電波を受信するＧＰＳアンテナ２１ａが接続されている。ＧＰＳ処理部２１は、ＧＰＳアンテナ２１ａから入力される信号に基づいて現在位置を算出し、現在位置を表す現在位置情報をナビ処理部２３へ出力する。
【００２９】
地図情報データベース２２は、地図の背景を表示するための背景データ、道路や交差点等に関する各種情報を含む道路データ、各種施設の位置データやＰＯＩアイコンなどを含む施設データ等を有するデータである。
【００３０】
なお、本実施形態における地図情報データベース２２には、区域限定放送の放送領域と、その放送領域における区域限定放送の受信チャンネルを表すテーブルが記憶されている。
【００３１】
ナビゲーション機能部２０は、ハードディスクドライブ等の記憶装置（図示せず）を有し、地図情報データベース２２はこの記憶装置に記憶されている。
【００３２】
ナビ処理部２３は、ＣＰＵ、メモリ、Ｉ／Ｏ等を備えたコンピュータとして構成されており、ＣＰＵはメモリに記憶されたプログラムに従って各種処理を実施する。
【００３３】
ナビ処理部２３の処理としては、ＧＰＳ処理部２１より入力される現在位置情報に基づいて自車位置周辺の地図上に自車位置マークを重ねた地図画面をモニタ３０のディスプレイ３１に表示させる地図表示処理、出発地から目的地に至る案内経路を探索し、案内経路に従って経路案内を行う経路案内処理等がある。
【００３４】
本実施形態におけるナビ処理部２３は、放送受信機能部１０の地図情報データベース２２を参照して現在位置における区域限定放送の受信チャンネルを特定し、区域限定放送の受信チャンネルの選局をデジタルテレビチューナ１１に指示する処理も行う。
【００３５】
モニタ３０は、液晶等のディスプレイ３１、タッチパネルスイッチ（図中では、タッチパネルＳＷと記す）３２およびスピーカ（図示せず）を備えている。
【００３６】
モニタ３０は、デジタルテレビチューナ１１およびナビ処理部２３より入力される映像信号に応じた映像をディスプレイ３１に表示させるとともにデジタルテレビチューナ１１およびナビ処理部２３より入力される音声信号に応じた音声をスピーカより出力させる。
【００３７】
タッチパネルスイッチ３２は、ディスプレイ３１の前面に重ねて設けられており、ユーザによるディスプレイ３１への接触操作および接触位置に応じた信号をナビ処理部２３へ出力する。
【００３８】
本車載放送受信装置１は、自車両が区域限定放送の受信領域に位置すると、区域限定放送の受信チャンネルを自動選局して、区域限定放送を自動受信する自動受信機能を有している。ユーザは、図２に示すような区域限定放送の自動受信機能の設定画面に従い、事前に区域限定放送の自動受信をするか否かの設定を行うようになっている。なお、自動受信機能の設定が自動受信「しない」となっていても、区域限定放送の受信チャンネルの選局操作を行うことにより区域限定放送を受信することは可能である。
【００３９】
次に、図３に従って、放送受信機能部１０のデータ処理部１２による番組情報記憶処理について説明する。車両のイグニッションスイッチがオン状態になると、放送受信機能部１０、ナビゲーション機能部２０およびモニタ３０は、それぞれ動作状態となり、データ処理部１２は、図３に示す処理を開始する。なお、ここでは、自動受信機能が「自動受信する」に設定されているものとして説明する。
【００４０】
まず、自車が区域限定放送の受信可能領域に位置するか否かを判定する（Ｓ１００）。自車が区域限定放送領域に位置すると、ナビ処理部２３により区域限定放送の受信チャンネルが特定され、ナビ処理部２３からデジタルテレビチューナ１１へ区域限定放送の受信チャンネルの選局が指示される。また、デジタルテレビチューナ１１は、この選局指示に応じて区域限定放送の受信チャンネルを選局する。ここでは、デジタルテレビチューナ１１により区域限定放送が受信されている場合に、自車が区域限定放送の受信可能領域に位置すると判定し、区域限定放送が受信されていない場合に、自車が区域限定放送の受信可能領域に位置しないと判定する。
【００４１】
区域限定放送が受信されている場合、Ｓ１００の判定はＹＥＳとなり、次に、受信放送にＰＯＩデータが有るか否かを判定する（Ｓ１０２）。具体的には、データ放送を受信して放送番組に含まれる施設を表す施設情報（ＰＯＩデータなど）が含まれるか否かを判定する。
【００４２】
データ放送に施設情報が含まれていない場合、Ｓ１０２の判定はＮＯとなり、Ｓ１００へ戻る。
【００４３】
また、データ放送に施設情報が含まれている場合、Ｓ１０２の判定はＹＥＳとなり、次に、ＰＯＩデータフォーマットに整理する（Ｓ１０４）。
【００４４】
図４に、ＰＯＩデータフォーマットの構成例を示す。図に示すように、ＰＯＩデータフォーマットは、放送番組を識別するための番組識別子、放送番組に含まれる施設の分類情報（ＰＯＩカテゴリ）、放送番組に含まれる施設の位置データ、一定期間（３０分）内の放送回数の各項目により構成されている。
【００４５】
ここでは、受信した施設情報をＰＯＩデータフォーマットに従って番組情報データベース１３に蓄積させるために、施設情報から放送番組を識別するための番組識別子、放送番組に含まれる施設の分類情報（ＰＯＩカテゴリ）、放送番組に含まれる施設の位置データを抽出するとともに、一定期間（３０分）内に同一の放送番組が放送された場合には一定期間（３０分）内の放送回数をカウントする。
【００４６】
次に、ＰＯＩデータフォーマットに従って受信したＰＯＩデータを番組情報データベース１３に蓄積させる（Ｓ１０６）。具体的には、Ｓ１０４にて整理したデータをＰＯＩデータフォーマットに従って番組情報データベース１３に記憶させる。
【００４７】
上記処理を繰り返し実施し、区域限定放送の放送番組に含まれる施設を表す施設情報が番組情報データベース１３に記憶される。
【００４８】
また、自車が区域限定放送の受信可能領域から外れ、区域限定放送が受信されなくなると、Ｓ１００の判定はＮＯとなり、番組情報データベース１３のデータをクリアする（Ｓ１０８）。すなわち、Ｓ１０６にて番組情報データベース１３に蓄積された全データは消去される。
【００４９】
そして、再度、自車が区域限定放送の受信可能領域に位置し、区域限定放送が受信されるようになると、その区域限定放送のデータ放送に含まれるＰＯＩデータが番組情報データベース１３に蓄積されるようになる。
【００５０】
本実施形態に係るナビ処理部２３は、番組情報データベース１３に記憶されたＰＯＩデータに基づいて放送番組に含まれる施設を表すアイコン（表示体）を地図上に重ねた地図画面をディスプレイ３１に表示させる処理を実施する。
【００５１】
図５に、この処理のフローチャートを示す。車両のイグニッションスイッチがオン状態となり、ナビゲーション機能部２０が起動状態になると、ナビ処理部２３は、図５に示す処理を開始する。
【００５２】
まず、現在地地図の読み出しを行う（Ｓ２００）。具体的には、ＧＰＳ処理部２１より入力される現在位置情報から現在位置を特定し、現在位置周辺の地図を地図情報データベース２２から取得する。
【００５３】
次に、番組情報データベース１３の読み出しを行う（Ｓ２０２）。ここで、番組情報データベース１３にＰＯＩデータが記憶されていない場合には、図示してないがＳ２００へ戻る。
【００５４】
また、番組情報データベース１３にＰＯＩデータが記憶されている場合、次に、ＰＯＩアイコンの種類とサイズを決定する（Ｓ２０４）。ＰＯＩアイコンの種類は、ＰＯＩカテゴリに従って決定し、ＰＯＩアイコンのサイズは、一定期間以内の放送回数に従って決定される。なお、この放送回数が多いほどＰＯＩアイコンのサイズは大きくなるように決定される。
【００５５】
次に、番組情報データベース１３に含まれる各施設のＰＯＩアイコンを現在位置周辺の地図上に重ねた地図画面をディスプレイ３１に表示させる（Ｓ２０６）。また、自車位置を表す自車位置マークと、自動受信機能が自動受信「する」に設定されている場合には自動受信中であることを表す情報も地図上に表示させる。
【００５６】
図６に、この地図画面の表示例を示す。図に示すように、美術館、寺、公園、商店を表すアイコンおよびその名称とともに自車位置マークが地図上に重ねて表示されている。また、美術館の方が公園よりも放送回数が多くなっており、美術館の方が公園よりもアイコンのサイズが大きくなるように表示されている。また、画面の右上には、自動受信機能が自動受信「する」に設定されていることを表す「受信中」の表示が示されている。
【００５７】
次に、ＰＯＩが選択されたか否かを判定する（Ｓ２０８）。具体的には、ユーザにより地図画面上のＰＯＩアイコンが選択操作されたか否かを判定する。
【００５８】
地図画面上のＰＯＩアイコンが選択操作されると、Ｓ２０８の判定はＹＥＳとなり、次に、データ処理部１２に番組識別子を送付する（Ｓ２１０）。具体的には、選択操作されたＰＯＩアイコンにより表される施設を含む放送番組の番組識別子をデータ処理部１２に送信する。例えば、図６に示した寺が選択操作されると、選択操作された寺を含む放送番組の番組識別子がデータ処理部１２に送信される。
【００５９】
本実施形態におけるデータ処理部１２は、選択操作されたＰＯＩアイコンにより表される施設を含む放送番組の番組識別子をナビ処理部２３から受信すると、その放送番組が放送されているか否かを判定し、放送されていると判定された場合、その放送番組の映像を表示する映像表示処理を実施する。
【００６０】
図７に、この映像表示処理のフローチャートを示す。放送受信機能部１０が動作状態となると、データ処理部１２は、図に示す処理を開始する。
【００６１】
まず、番組識別子を受信したか否かを判定する（Ｓ３００）。選択操作されたＰＯＩアイコンにより表される施設を含む放送番組の番組識別子をナビ処理部２３から受信したか否かを判定する。
【００６２】
ナビ処理部２３から番組識別子を受信しない場合、Ｓ３００の判定はＮＯとなり、Ｓ３００の判定を繰り返す。
【００６３】
そして、ナビ処理部２３から番組識別子を受信すると、Ｓ３００の判定はＹＥＳとなり、次に、該当する放送番組が放送中か否かを判定する（Ｓ３０２）。具体的には、ナビ処理部２３から受信した番組識別子と放送中の放送番組の番組識別子とが同一か否かに基づいて該当する放送番組が放送中か否かを判定する。
【００６４】
ユーザにより選択操作されたＰＯＩアイコンにより表される施設を含む放送番組が始まると、ナビ処理部２３から受信した番組識別子と放送中の放送番組の番組識別子とが同一となるため、Ｓ３０２の判定はＹＥＳとなり、ディスプレイ３１の表示を区域限定放送の映像に切り替える（Ｓ３０４）。具体的には、地図画面に代えて、選択操作されたＰＯＩアイコンにより表される施設を含む区域限定放送の放送番組の映像をディスプレイ３１に表示させる。
【００６５】
図８に、図６に示した寺が選択操作された場合の放送映像の表示例を示す。図に示すように、区域限定放送の放送番組の映像が表示される。
【００６６】
また、ナビ処理部２３から受信した番組識別子と放送中の放送番組の番組識別子とが異なる場合には、Ｓ３０２の判定はＮＯとなり、Ｓ３００へ戻る。ただし、選択操作されたＰＯＩアイコンにより表される施設を含む放送番組が開始されると、ナビ処理部２３から受信した番組識別子と放送中の放送番組の番組識別子が同一となるため、Ｓ３０２の判定はＹＥＳとなり、選択操作されたＰＯＩアイコンにより表される施設を含む放送番組の映像が表示される。
【００６７】
なお、自車が区域限定放送の受信可能領域から外れ、区域限定放送が受信されなくなると、図３に示したＳ１０８の処理により番組情報データベース１３に記憶された全データが消去される。このように、番組情報データベース１３の全データが消去されると、ナビ処理部２３は、番組情報データベース１３に基づいて表示したＰＯＩアイコンを非表示にする。すなわち、ＰＯＩアイコンを非表示にしてＰＯＩアイコンを選択できないようになっている。
【００６８】
上記した構成によれば、データ放送を受信して放送番組に含まれる施設を表す施設情報を番組情報データベース１３に記憶させ、この番組情報データベース１３に記憶された施設情報に基づいて放送番組に含まれる施設を表す表示体を地図上に重ねた地図画面を表示手段に表示させ、この表示体が選択操作されたことを判定すると、選択操作された表示体により表される施設を含む放送番組が放送されているか否かを判定し、施設を含む放送番組が放送されていると判定された場合、施設を含む放送番組の映像が表示手段に表示される。すなわち、ユーザ操作により選択された施設が含まれる放送番組のみを受信してその映像を表示することができる。
【００６９】
また、地図上に自車位置を表す自車位置マークが表示されるので、ユーザは放送番組に含まれる施設と自車位置との位置関係を容易に認識することができる。
【００７０】
また、放送回数に応じてアイコンのサイズを異ならせることができ、推奨度を施設毎にコントロールすることが可能である。
【００７１】
放送波を受信できなくなったことを判定すると、番組情報データベース１３に記憶された施設情報を消去することができる。また、番組情報データベース１３に記憶された施設情報が消去されると、地図画面への表示体の表示が非表示となる。したがって、放送波を受信できなくなり記憶手段に記憶された施設情報が消去された場合に、地図画面に表示体を表示させないようにすることができる。
【００７２】
なお、本発明は上記実施形態に限定されるものではなく、本発明の趣旨に基づいて種々なる形態で実施することができる。
【００７３】
例えば、上記実施形態では、一定期間（３０分）内に放送された放送回数を番組情報データベース１３に記憶する例を示したが、このような期間に限定されるものではなく、例えば、一定期間（６０分）としてもよく、また、期間長を変化させるようにしてもよい。
【００７４】
また、上記実施形態では、予め定められた期間内に放送された放送回数に応じて地図上に表示させるＰＯＩアイコンの大きさを異ならせる例を示したが、データ放送により放送番組に含まれる施設の推奨度を表す優先順位情報を施設情報に含ませて送信するようにし、ナビ処理部２３は、この優先順位情報に従って地図画面に表示させるＰＯＩアイコンの大きさを異ならせるようにしてもよい。例えば、イベント開催中の施設の優先順位を高くすることにより、その施設のＰＯＩアイコンを大きく表示させるなど、推奨度を施設毎にコントロールすることが可能である。
【００７５】
また、上記実施形態では、予め定められた期間内に放送された放送回数に応じて地図上に表示させるＰＯＩアイコンの大きさを異ならせる例を示したが、データ放送により放送番組に含まれる駐車施設の混雑状況を表す満車空車情報を施設情報に含ませて送信するようにし、ナビ処理部２３は、この満車空車情報から各駐車施設の混雑状況を特定し、該混雑状況に応じて地図画面に表示させるＰＯＩアイコンの大きさを異ならせるようにしてもよい。例えば、空車、混雑、満車の順にＰＯＩアイコンの大きさが小さくなるように表示させることができる。
【００７６】
また、上記実施形態では、図６に示したような地図画面上のＰＯＩアイコンの選択操作に応じて、図８に示したような区域限定放送の映像を表示する例を示したが、例えば、図９に示すように、地図画面と区域限定放送の映像を同時に表示させるようにしてもよい。また、車両が走行中の場合には、放送映像を表示することなく音声のみをスピーカから出力させるようにしてもよい。
【００７７】
また、上記実施形態では、予め定められた期間内に放送された放送回数が多いほど地図画面に表示させる表示体の大きさを大きくする例を示したが、例えば、放送回数が多いほど地図画面に表示させる表示体の大きさを小さくするようにしてもよい。
【００７８】
また、上記実施形態では、送信アンテナからワンセグ放送として送信される区域限定放送を受信する例を示したが、このような例に限定されるものではなく、ワンセグ放送以外の方式で放送される区域限定放送を受信するようにしてもよい。
【００７９】
また、上記実施形態では、区域限定放送が受信されなくなると、番組情報データベース１３に記憶された全データが消去され、ナビ処理部２３は、番組情報データベース１３に基づいて表示したＰＯＩアイコンを非表示にする例を示したが、例えば、ＰＯＩアイコンを非表示にすることなく、放送領域から外れたことをユーザが認識できるように、ＰＯＩアイコンの色を変更したり、表示色の明度を下げてトーンダウンさせたりしてもよい。
【００８０】
また、上記実施形態では、デジタルテレビチューナ１１を用いてデジタル放送を受信する例を示したが、このような例に限定されるものではなく、例えば、アナログテレビチューナ等を用いてアナログ放送を受信するようにしてもよい。
【００８１】
なお、上記実施形態における構成と特許請求の範囲の構成との対応関係について説明すると、ディスプレイ３１が表示手段に相当し、番組情報データベース１３が記憶手段に相当し、Ｓ１０４、Ｓ１０６が記憶制御手段に相当し、Ｓ２０４、Ｓ２０６が地図画面表示手段に相当し、Ｓ３０２が判定手段に相当し、Ｓ３０４が放送映像表示手段に相当し、Ｓ１００、Ｓ１０８が施設情報消去手段に相当する。
【図面の簡単な説明】
【００８２】
【図１】本発明の一実施形態に係る車載放送受信装置の構成を示す図である。
【図２】区域限定放送の自動受信機能の設定画面の表示例を示す図である。
【図３】放送受信機能部のデータ処理部による番組情報記憶処理のフローチャートである。
【図４】ＰＯＩデータフォーマットについて説明するための図である。
【図５】ナビゲーション機能部のナビ処理部の処理を示すフローチャートである。
【図６】地図画面の表示例を示す図である。
【図７】放送受信機能部のデータ処理部による映像表示処理のフローチャートである。
【図８】放送映像の表示例を示す図である。
【図９】地図画面と放送映像を同時に表示させた場合の表示例を示す図である。
【符号の説明】
【００８３】
１…車載放送受信装置、１０…放送受信機能部、１１…デジタルテレビチューナ、
１２…データ処理部、１３…番組情報データベース、２０…ナビゲーション機能部、
２１…ＧＰＳ処理部、２２…地図情報データベース、２３…ナビ処理部、
３０…モニタ、３１…ディスプレイ、３２…タッチパネルスイッチ。 
【図１】
0005067147.tif 000002
【図２】
0005067147.tif 000003
【図３】
0005067147.tif 000004
【図４】
0005067147.tif 000005
【図５】
0005067147.tif 000006
【図６】
0005067147.tif 000007
【図７】
0005067147.tif 000008
【図８】
0005067147.tif 000009
【図９】
0005067147.tif 000010